(57)【要約】【課題】  ゴルファーにとっての官能的な要求を満足するようなゴルフクラブの選択や設計を容易に行えるようにする。【解決手段】  ゴルフクラブ選択支援装置は、ゴルフクラブの１次モーメントおよび慣性モーメントと、１次モーメントに対する慣性モーメントの比の値である相当単振り子長とに関する基本データを格納する記憶装置４と、１次モーメント、慣性モーメントおよび相当単振り子長に関するデータを入力する入力装置３と、入力装置３によって入力されたデータと、記憶装置４に格納された基本データとを比較して比較結果を出力する中央処理装置２と、中央処理装置２の出力結果を表示する表示装置５とを備える。【選択図】        図１３
2004181217.tif 000002
【特許請求の範囲】
【請求項１】
ゴルフクラブを選択する際に用いられる装置であって、
前記ゴルフクラブの１次モーメントと、前記ゴルフクラブの慣性モーメントと、前記１次モーメントに対する前記慣性モーメントの比の値である相当単振り子長とに関する基本データを格納する記憶装置と、
前記１次モーメント、前記慣性モーメントおよび前記相当単振り子長に関するデータを入力する入力装置と、
前記入力装置によって入力されたデータと、前記記憶装置に格納された基本データとの比較結果を出力する中央処理装置と、
前記中央処理装置の出力情報を表示する表示装置と、
を備えたゴルフクラブ選択支援装置。
【請求項２】
前記記憶装置に格納する基本データは、Ｘ軸に前記１次モーメントをとり、Ｙ軸に前記慣性モーメントをとり、前記相当単振り子長を表す直線を記載したグラフを含む、請求項１に記載のゴルフクラブ選択支援装置。
【請求項３】
ゴルフクラブを選択するために用いられるツールであって、
前記ゴルフクラブの１次モーメントと、前記ゴルフクラブの慣性モーメントと、前記１次モーメントに対する前記慣性モーメントの比の値である相当単振り子長とを併記したグラフ部分を備えたことを特徴とする、ゴルフクラブ選択用ツール。
【請求項４】
基準となるゴルフクラブの１次モーメント値を判定するステップと、
前記基準となるゴルフクラブの慣性モーメント値を判定するステップと、
前記基準となるゴルフクラブの前記１次モーメント値に対する前記慣性モーメント値の比の値である相当単振り子長の値を判定するステップと、
を備えたゴルフクラブの選択方法。
【請求項５】
ゴルフクラブにおけるヘッド、シャフトおよびグリップの質量設定を、前記ゴルフクラブの１次モーメント値、前記ゴルフクラブの慣性モーメント値、前記１次モーメント値に対する前記慣性モーメント値の比の値である相当単振り子長の値を用いて決定することを特徴とする、ゴルフクラブの設計方法。
【発明の詳細な説明】
【技術分野】
【０００１】
本発明は、ゴルフクラブ選択支援装置、ゴルフクラブ選択用ツール、ゴルフクラブの選択方法およびゴルフクラブの設計方法に関し、特に、ゴルファーの官能値を考慮したゴルフクラブ選択支援装置、ゴルフクラブ選択用ツール、ゴルフクラブの選択方法およびゴルフクラブの設計方法に関する。
【背景技術】
【０００２】
ゴルフクラブを設計する際には、ヘッド、シャフトおよびグリップといった各パーツの質量設定を開発の初期段階に行なう。通常は、ゴルフクラブの長さを設定し、市場の状況など企画的な意図からシャフトとグリップの目標質量を設定し、１４インチバランスを設定し、ゴルフクラブの総質量を基準にしてヘッド質量を決定する場合が多い。
【０００３】
たとえば、４５インチのドライバーの総質量が２９０ｇ、１４インチバランスがＣ８という目標であれば、シャフトは５０ｇ、グリップを４０ｇと企画的な意図で仕様を仮決定し、これらの条件を満たした場合、ヘッドの質量は約１９４ｇとなる。
【０００４】
グリップ、シャフトについては、形状、製法がほぼ決まっており、素材も均一である場合がほとんどであるため、重心位置もほぼ一定の範囲におちつく。したがって、グリップ、シャフトについては、まず質量を決める必要がある。
【０００５】
シャフトの質量設定については、各フレックスが柔らかくなるにつれて同等以下に設定する場合が多く、各フレックス間、たとえばＳフレックスとＳＲフレックスの間のシャフト質量差は、シャフトの製造、設計などの都合により５ｇ前後のとなることが多い。
【０００６】
グリップの質量範囲は、シャフトの外径やグリップの外径がほぼ決まっている関係から、４０ｇ〜５０ｇ前後とシャフトやヘッドに比べて狭い。よって、グリップの質量は、シャフトやヘッドの質量よりも企画的な意図で決められる場合が多い。
【０００７】
評価の高いゴルフクラブを基準に、これよりも少し重いゴルフクラブの要求がある場合、１４インチバランスを増やす、つまりヘッドの質量を増やす、もしくはシャフトの質量を増やすことが最も一般的である。しかし、これらをどれ位の割合で増やしていくかは、ゴルフクラブ総質量と１４インチバランスとで決められていた。
【０００８】
このようにして設計されたゴルフクラブから、ゴルファーが自分に合ったゴルフクラブを選択する場合、実際にゴルフクラブを手に持ってみたり、グリップエンドを支点にヘッドを回転させる等独自の手法で選択するのが一般的であり、ゴルフクラブの選択の際の基準となるツールのようなものは存在しなかった。
【０００９】
他方、ゴルフクラブ自体については、ゴルフクラブを振り易くするために種々の提案がなされている。
【００１０】
たとえば特開2001-87424号公報では、ロングアイアンからショートアイアンに亘ってスイングのし易いアイアンクラブセットを提供するために、アイアンクラブのグリップエンド回りの慣性モーメントを所定範囲内の値としたアイアンクラブセットが記載されている。
【００１１】
また、特開2000-202070号公報では、ゴルフクラブの長尺化による飛距離性能の一層の向上と振りにくさを改善するために、ゴルフクラブの長さ、総重量、グリップエンドよりヘッド方向へ１０ｃｍの位置を軸とした慣性モーメントを所定範囲内の値としたゴルフクラブが記載されている。
【００１２】
また、特開2000-202069号公報には、打球時におけるボールの初速を最大限に向上することを可能にしたゴルフクラブを提供するために、グリップ端から１７０ｍｍの位置での慣性モーメントと、クラブ長さとの関係を規定したゴルフクラブが記載されている。
【００１３】
このように改良されたゴルフクラブについても、自分に合ったゴルフクラブを選択する場合には、実際にゴルフクラブを手に持ったり、グリップエンドを支点にヘッドを回転させる等の手法で選択するしかなかった。
【特許文献１】特開2001-87424号公報
【特許文献２】特開2000-202070号公報
【特許文献３】特開2000-202069号公報
【発明の開示】
【発明が解決しようとする課題】
【００１４】
ゴルフクラブに関するゴルファーの官能値として、「グリップしたときの重さ」、スイングする前に確認するグリップエンドを支点に回転させる「ワッグル」と呼ばれる動作時に感じる「ワッグル重さ」、実際にスイングしたときに感じる「タイミングのとりやすさ」というものがあり、これらの官能値を満足するゴルフクラブを選択できることが望まれる。
【００１５】
しかし、上述の従来のゴルフクラブの設計方法では、上記の３つの要素を考慮してゴルフクラブが設計されておらず、ゴルファーにとって官能的な要求を満たすゴルフクラブやゴルフクラブセットを選択することは困難であった。
【００１６】
また、特開2001-87424号公報、特開2000-202070号公報あるいは特開2000-202069号公報に記載のゴルフクラブも、上記の３つの要素について考慮されていないため、ゴルファーにとって官能的な要求を満足するゴルフクラブやゴルフクラブセットとは必ずしもなっていなかった。
【００１７】
本発明は上述のような課題を解決するためになされたものである。本発明の目的は、ゴルファーにとっての官能的な要求を満足するゴルフクラブやゴルフクラブセットの選択や設計が可能となるゴルフクラブ選択支援装置、ゴルフクラブ選択用ツール、ゴルフクラブの選択方法およびゴルフクラブの設計方法を提供することにある。
【課題を解決するための手段】
【００１８】
本発明に係るゴルフクラブ選択支援装置は、ゴルフクラブ（ゴルフクラブセットを含む）を選択する際に用いられる装置であって、ゴルフクラブの１次モーメントと、ゴルフクラブの慣性モーメントと、１次モーメントに対する慣性モーメントの比の値である相当単振り子長とに関する基本データを格納する記憶装置と、１次モーメント、慣性モーメントおよび相当単振り子長に関するデータを入力する入力装置と、入力装置によって入力されたデータと、記憶装置に格納された基本データとの比較結果を出力する中央処理装置と、中央処理装置の出力情報を表示する表示装置とを備える。
【００１９】
上記の「１次モーメント」とは、ゴルフクラブの質量（Ｍｃ)×ゴルフクラブのグリップエンド付近から重心までの距離（Ｒ）で表される値であり、「慣性モーメント」とは、グリップエンド付近を支点にゴルフクラブを回転させることで示される量であり、「相当単振り子長」とは、慣性モーメント／１次モーメントにより求められる値である。
【００２０】
本願発明者は、「グリップしたときの重さ」、「ワッグル重さ」および「タイミングのとりやすさ」といったゴルファーの官能値を何らかのパラメータで置き換えることが可能か否かについて確認すべく種々の試験を行なった結果、「グリップしたときの重さ」を「１次モーメント（典型的にはグリップエンドもしくは右手端面の１７０ｍｍ程度までを支点とした１次モーメント）」に置き換えることができ、「ワッグル重さ」を「慣性モーメント（典型的にはグリップエンドもしくは右手端面の１７０ｍｍ程度までを支点とした慣性モーメント）」に置き換えることができ、「タイミングのとりやすさ」を「相当単振り子長」に置き換えることができることを知得した。
【００２１】
そこで、１次モーメントと、慣性モーメントと、相当単振り子長とに関する基本データを記憶装置に格納することとした。それにより、入力装置を介して１次モーメント、慣性モーメント、相当単振り子長に関して得られたデータを入力することで、中央処理装置によって基本データと入力データとを比較して最適なゴルフクラブやゴルフクラブセットを選択するのに必要な情報を出力することができる。この出力情報を表示装置で表示することにより、当該情報を視認することができる。
【００２２】
上記の記憶装置に格納する基本データは、好ましくは、Ｘ軸（横軸）に１次モーメントをとり、Ｙ軸（縦軸）に慣性モーメントをとり、相当単振り子長を表す直線を記載したグラフを含む。
【００２３】
本発明に係るゴルフクラブ選択用ツールは、ゴルフクラブ（ゴルフクラブセットを含む）を選択するために用いられるツールであって、ゴルフクラブの１次モーメントと、ゴルフクラブの慣性モーメントと、１次モーメントに対する慣性モーメントの比の値である相当単振り子長とを併記したグラフ部分を備えたことを特徴とする。
【００２４】
上記のゴルフクラブ選択用ツールを用いることにより、１次モーメントと、慣性モーメントと、相当単振り子長とをともに表したグラフに基づいてゴルフクラブを選択することができ、これらのパラメータに対応する「グリップしたときの重さ」、「ワッグル重さ」および「タイミングのとりやすさ」といったゴルファーの官能値を容易に判別することができる。それにより、ゴルファーにとっての官能的な要求を満たすゴルフクラブやゴルフクラブセットを容易に選択することができる。
【００２５】
本発明に係るゴルフクラブ（ゴルフクラブセットを含む）の選択方法は、基準となるゴルフクラブの１次モーメント値を判定するステップと、基準となるゴルフクラブの慣性モーメント値を判定するステップと、基準となるゴルフクラブの１次モーメント値に対する慣性モーメント値の比の値である相当単振り子長の値を判定するステップとを備える。
【００２６】
このように１次モーメント値、慣性モーメント値および相当単振り子長をそれぞれ判別することにより、「グリップしたときの重さ」、「ワッグル重さ」および「タイミングのとりやすさ」といったゴルファーの官能値を容易に判別することができ、ゴルファーにとっての官能的な要求を満たすゴルフクラブやゴルフクラブセットを容易に選択することができる。
【００２７】
本発明に係るゴルフクラブ（ゴルフクラブセットを含む）の設計方法は、ゴルフクラブにおけるヘッド、シャフトおよびグリップの質量設定を、ゴルフクラブの１次モーメント値、ゴルフクラブの慣性モーメント値、１次モーメント値に対する慣性モーメント値の比の値である相当単振り子長の値を用いて決定することを特徴とする。
【００２８】
このように１次モーメント値、慣性モーメント値および相当単振り子長を用いて、ゴルフクラブにおけるヘッド、シャフトおよびグリップの質量を設定することにより、ゴルファーにとっての官能的な要求を満たすゴルフクラブやゴルフクラブセットの設計を行なえる。
【発明の効果】
【００２９】
本発明に係るゴルフクラブ選択支援装置、ゴルフクラブ選択用ツールおよびゴルフクラブの選択方法によれば、「グリップしたときの重さ」、「ワッグル重さ」および「タイミングのとりやすさ」といったゴルファーの官能値を、１次モーメント、慣性モーメントおよび相当単振り子長というパラメータに置き換えることにより、ゴルファーの官能的な要求を満足するゴルフクラブやゴルフクラブセットを容易に選択することができる。
【００３０】
本発明に係るゴルフクラブやゴルフクラブセットの設計方法によれば、上記の１次モーメント値、慣性モーメント値および相当単振り子長というパラメータを用いて、ゴルフクラブにおけるヘッド、シャフトおよびグリップの質量を設定しているので、ゴルファーの官能的な要求を満足するゴルフクラブやゴルフクラブセットの設計を行なえる。
【発明を実施するための最良の形態】
【００３１】
以下、本発明の実施の形態におけるゴルフクラブ選択支援装置、ゴルフクラブ選択用ツール、ゴルフクラブの選択方法およびゴルフクラブの設計方法について説明する。
【００３２】
まず、本実施の形態におけるゴルフクラブ選択支援装置について図１３を用いて説明する。
【００３３】
図１３に示すように、本実施の形態におけるゴルフクラブ選択支援装置１は、ゴルフクラブを選択する際に用いられる装置であって、中央処理装置（ＣＰＵ）２と、入力装置３と、記憶装置４と、表示装置５とを備える。
【００３４】
記憶装置４は、ゴルフクラブのグリップエンドあるいはその近傍（好ましくはグリップエンドから１７０ｍｍ程度までの範囲）を支点とした１次モーメント値と、グリップエンドあるいはその近傍（好ましくはグリップエンドから１７０ｍｍ程度までの範囲）の周りの慣性モーメント値と、１次モーメント値に対する慣性モーメント値の比の値である相当単振り子長に関する基本データを格納する。
【００３５】
入力装置３は、１次モーメント、慣性モーメントおよび相当単振り子長に関するデータを入力する。中央処理装置２は、入力装置３によって入力されたデータと、記憶装置４に格納された基本データとを比較して比較結果を出力する。表示装置５は、中央処理装置２の出力結果を表示する。
【００３６】
次に、上記のゴルフクラブ選択支援装置１を用いたゴルフクラブの選択方法の一例について図１２を用いて説明する。
【００３７】
まず、図１２に示すように、基準となるゴルフクラブ（以下、「基準クラブ」と称する）を用いて、「グリップしたときの重さ（持ち重さ）」、ワッグル動作したときの重さである「ワッグル重さ」、実際にスイングしたときに感じる「タイミングのとりやすさ」についてアンケートをとる。
【００３８】
なお、本願発明者による検討の結果、この「グリップしたときの重さ（持ち重さ）」と「１次モーメント（典型的にはグリップエンドもしくは右手端面の１７０ｍｍ程度までを支点とした１次モーメント）」、「ワッグル重さ」と「慣性モーメント（典型的にはグリップエンドもしくは右手端面の１７０ｍｍ程度までを支点とした慣性モーメント）」、「タイミングのとりやすさ」と「相当単振り子長」とが相関関係にあることが判明したので、「グリップしたときの重さ（持ち重さ）」についてのアンケート結果を「１次モーメント」に関するデータとして、「ワッグル重さ」についてのアンケート結果を「慣性モーメント」に関するデータとして、「タイミングのとりやすさ」についてのアンケート結果を「相当単振り子長」に関するデータとして、入力装置３を介してゴルフクラブ選択支援装置１に入力する。
【００３９】
この入力されたデータと、記憶装置４に予め格納された基本データとを中央処理装置２によって比較し、必要なデータの選択や、入力データによる範囲の絞り込み等の処理を行なう。そして、この処理結果を表示装置５で表示する。表示手法としては、たとえば画面での表示や音声による表示が考えられる。この表示結果を参考にしてゴルファーの官能値を考慮した最適なゴルフクラブの選択を行なえる。
【００４０】
なお、上記の「１次モーメント」とは、ゴルフクラブの質量（Ｍｃ)×ゴルフクラブのグリップエンド付近から重心までの距離（Ｒ）で表される値であり、「慣性モーメント」とは、グリップエンド付近を支点にゴルフクラブを回転させることで示される量であり、「相当単振り子長」とは、慣性モーメント／１次モーメントにより求められる値である。
【００４１】
また、上記の記憶装置４に格納する基本データとしては、典型的には、縦軸（Ｙ軸）に慣性モーメント（ＩＧＥ）をとり、横軸（Ｘ軸）に１次モーメント（ＭＣＲ）をとり、相当単振り子長として（ＩＧＥ／ＭＣＲ）の関係式を満たす直線を記載したグラフを挙げることができる。しかし、慣性モーメント（ＩＧＥ）と、１次モーメント（ＭＣＲ）と、相当単振り子長（ＩＧＥ／ＭＣＲ）との関係を示したものであれば上記のグラフ以外の任意のデータを採用可能である。
【００４２】
図１に、上記のグラフの一例を示す。図１において、Ｄｒ１，Ｄｒ２，Ｄｒ３はゴルフクラブの長さ、シャフト質量、グリップ質量を同等とし、ヘッド質量を変えたゴルフクラブである。ヘッド質量のみを各５ｇずつ変えることにより、グリップエンド周りの慣性モーメント（ＩＧＥ）、１次モーメント（ＭＣＲ）および相当単振り子長（ＩＧＥ／ＭＣＲ）が異なる関係となることがわかる。ゴルフクラブＤｒ１〜Ｄｒ５の各パーツ質量および測定値を表１に示す。なお、表１において、「１４”バランス」とは、１４インチバランスのことである。
【００４３】
【表１】
2004181217.tif 000003
【００４４】
ゴルフクラブＤｒ１，Ｄｒ４，Ｄｒ５は、クラブの長さ、ヘッド質量およびグリップ質量が同じで、シャフト質量のみを変えたゴルフクラブである。シャフト質量のみを各１０ｇ変えることにより、１次モーメント（ＭＣＲ）と相当単振り子長（ＩＧＥ／ＭＣＲ）が異なるものの慣性モーメント（ＩＧＥ）はほぼ同等となることがわかる。なお、図２に、ゴルフクラブＤｒ１〜Ｄｒ５におけるシャフトの曲げ剛性分布を示しておく。
【００４５】
上記のゴルフクラブＤｒ１〜Ｄｒ５についての５名の官能テスターによる評価結果を下記の表２〜表４に示す。この５名の官能テスターには、商品テスターとして分析能力の高いプロゴルファーを選出している。この中でも特に官能評価能力の高い順にＳ，Ａ，Ｂとランクをつけている。
【００４６】
官能評価項目としては、「グリップしたときの重さ（持ち重さ）」、「ワッグル重さ」、「タイミングのとりやすさ」の３項目である。官能評価方法としては、官能検査の最も代表的な「一対比較法」を用いた。また、「グリップしたときの重さ（持ち重さ）」と「ワッグル重さ」に関しては、「同じ」−「少し重い」−「重い」という３段階の評価、「タイミングのとりやすさ」に関しても、「同じ」−「少し異なる（小）」−「大きく異なる（大）」という５段階の評価で表現してもらった。
【００４７】
【表２】
2004181217.tif 000004
【００４８】
【表３】
2004181217.tif 000005
【００４９】
【表４】
2004181217.tif 000006
【００５０】
表２に示すように、「グリップしたときの重さ（持ち重さ）」については、１次モーメント（ＭＣＲ）の差が大きいほど官能値の差も大きくなることがわかる。表２の組合せの中ではＤｒ１とＤｒ４との１次モーメント（ＭＣＲ）値の差が３％程度と最も少ない値であり、この２つのゴルフクラブの比較結果は、「同じ」と判断したプロゴルファーが２名、「少しＤｒ１が重い」と判断したプロゴルファーが３名であった。
【００５１】
したがって、「グリップしたときの重さ（持ち重さ）」は、１次モーメント（ＭＣＲ）というパラメータで置き換えることが可能であり、判別できるかどうかの閾値は約３％であると判断できる。
【００５２】
この結果より、Ｄｒ１を基準クラブとし、「グリップしたときの重さ（持ち重さ）」感を要求する場合、１次モーメント（ＭＣＲ）が大きいゴルフクラブを選択する、つまり図１のグラフにおいてＤｒ１よりも右側に位置するゴルフクラブを選択すればよいことがわかる。
【００５３】
「ワッグル重さ」に関しては、表３に示すように、Ｄｒ１とＤｒ４との慣性モーメント（ＩＧＥ）値の差が１％以下と最も小さく、この２つのゴルフクラブの比較結果は「同じ」と判断したプロゴルファーが３名、「少しＤｒ１が重い」と判断したプロゴルファーが２名であった。
【００５４】
したがって、「ワッグル重さ」は、慣性モーメント（ＩＧＥ）というパラメータで置き換えることが可能であり、判別できるかどうかの閾値は約１％であると判断できる。
【００５５】
この結果より、Ｄｒ１を基準クラブとし、「ワッグル重さ」感を要求する場合には、慣性モーメント（ＩＧＥ）が大きいゴルフクラブを選択する、つまり図１のグラフにおいてＤｒ１よりも上側に位置するゴルフクラブを選択すればよいことがわかる。
【００５６】
「タイミングのとりやすさ」に関しては、表４に示すように、Ｄｒ１とＤｒ２との相当単振り子長（ＩＧＥ／ＭＣＲ）の差が２％以下と最も小さく、この２つのゴルフクラブの比較結果は「同じ」と判断したプロゴルファーが３名、「少し異なる」と判断したプロゴルファーが２名であった。
【００５７】
したがって、「タイミングのとりやすさ」は、相当単振り子長（ＩＧＥ／ＭＣＲ）というパラメータで置き換えることが可能であり、判別できるかどうかの閾値は約２％であると判断できる。
【００５８】
この結果より、Ｄｒ１を基準クラブとし、「タイミングのとりやすさ」を変えないためには、図１のグラフ上で相当単振り子長（ＩＧＥ／ＭＣＲ）を示す同一の直線上に位置するゴルフクラブを選択すればよいことがわかる。
【００５９】
以上より、Ｄｒ１を基準クラブとして「グリップしたときの重さ（持ち重さ）」、「ワッグル重さ」、「タイミングのとりやすさ」というゴルファーの官能値についての情報を入手し、たとえば１次モーメント（ＭＣＲ）、慣性モーメント（ＩＧＥ）および相当単振り子長（ＩＧＥ／ＭＣＲ）を併記したグラフに基づいて範囲の絞り込みを行なうことにより、官能値を考慮した最適なゴルフクラブを選択することができる。
【００６０】
なお、基準クラブＤｒ１としては、その時代に合った平均的な仕様のゴルフクラブを選択することが望ましい。本実施の形態において選定した基準クラブＤｒ１のヘッド質量は１９８ｇ、シャフト質量は６５ｇ、フレックスはＳ、グリップ質量は５０ｇである。
【００６１】
また、官能試験に関しては、「グリップしたときの重さ（持ち重さ）」、「ワッグル重さ」、「タイミングのとりやすさ」についての簡単なアンケート、たとえば、非常に重い−重い−普通−軽い−非常に軽いといった５段階の絶対評価法でも行なえる。また、シャフトのフレックスを選定する際には、本願と同一発明者による特許第３０６１６４０号に記載の「ゴルファーに最適なフレックスのシャフト選定装置」を使用することが望ましい。
【００６２】
次に、支点の位置について説明する。図３は、１次モーメント（ＭＣＲ）、慣性モーメント（ＩＧＥ）および相当単振り子長（ＩＧＥ／ＭＣＲ）について、グリップエンドから１３５ｍｍの位置を支点としたときの関係を示したグラフである。
【００６３】
この図３と図１とを比較すると、支点の違いから各項目の絶対値は異なっているものの、各ゴルフクラブＤｒ１〜Ｄｒ５に関するデータの位置関係は同様のものとなっていることがわかる。
【００６４】
図４に、本実施の形態で用いたシートラッピング製法によるカーボンシャフトの線密度分布を示す。この図からわかるように、グリップ端から１７０ｍｍ程度まではほぼ均一な線密度分布であり、この部分に比重の異なる素材を用いる以外はこの範囲のグリップ付近を支点にしても同等の結果が得られるものと考えられる。
【００６５】
図５は、１次モーメント（ＭＣＲ）、慣性モーメント（ＩＧＥ）および相当単振り子長（ＩＧＥ／ＭＣＲ）について、グリップエンドから２００ｍｍの位置を支点としたときの関係を示したグラフである。
【００６６】
支点位置を変えることにより最も影響があるのは、慣性モーメント（ＩＧＥ）値である。これは、慣性モーメント（ＩＧＥ）が、慣性モーメント（ＩＧＥ）＝重心周りの慣性モーメント＋ゴルフクラブ質量×（支点から重心位置までの距離）２で表されるからである。
【００６７】
各支点位置における慣性モーメント（ＩＧＥ）値を表５に示し、Ｄｒ１を基準としたときの比の値を表６に示す。
【００６８】
【表５】
2004181217.tif 000007
【００６９】
【表６】
2004181217.tif 000008
【００７０】
Ｄｒ１とＤｒ５、Ｄｒ１とＤｒ４の「ワッグル重さ」について、グリップエンドを支点とした場合、Ｄｒ１に対し１％以下の差でも官能テスターの判断が分かれている。
【００７１】
表６に示すように、グリップエンドから１３５ｍｍの位置を支点とした場合には、Ｄｒ４およびＤｒ５の慣性モーメント（ＩＧＥ）値と、Ｄｒ１のそれとの差が１％以下となるので、グリップエンドを支点とした場合と等価であると考えられる。しかし、グリップエンドから２００ｍｍの位置を支点とした場合、Ｄｒ１の慣性モーメント（ＩＧＥ）値と、Ｄｒ５の慣性モーメント（ＩＧＥ）値との差が１％以上となることから、グリップエンドを支点とした場合と等価であるとは考え難い。
【００７２】
したがって、スイングの形態からしてもグリップエンドから右手端までの距離が１７０ｍｍ程度までの範囲が、慣性モーメント（ＩＧＥ）の測定に適する支点位置であるといえる。
【００７３】
次に、本発明の本実施の形態におけるゴルフクラブ選択用ツールについて説明する。
【００７４】
本実施の形態のゴルフクラブ選択用ツールは、１次モーメント（ＭＣＲ）と、慣性モーメント（ＩＧＥ）と、１次モーメント（ＭＣＲ）に対する慣性モーメント（ＩＧＥ）の比の値である相当単振り子長（ＩＧＥ／ＭＣＲ）とを併記したグラフ部分を備えたものである。
【００７５】
具体的には、たとえば厚紙の表面に、１次モーメント（ＭＣＲ）と、慣性モーメント（ＩＧＥ）と、相当単振り子長（ＩＧＥ／ＭＣＲ）とを併記した図１等に示すグラフを貼り付けあるいは印刷したものや、金属製、プラスチック製、ゴム製等の紙以外の材質からなるベース部材の表面に当該グラフを貼り付けあるいは印刷したものを本実施の形態におけるゴルフクラブ選択用ツールとして採用可能である。
【００７６】
かかるゴルフクラブ選択用ツールを用いることにより、「グリップしたときの重さ（持ち重さ）」、「ワッグル重さ」および「タイミングのとりやすさ」に関するアンケート結果に基づいて、１次モーメント、慣性モーメント、相当単振り子長とをともに表したグラフを用いて該当するゴルフクラブを選択することができる。それにより、ゴルファーにとっての官能的な要求を満たすゴルフクラブを容易に選択することができる。
【００７７】
次に、上記のゴルフクラブ選択用ツールを用いたゴルフクラブの選択方法の一例について図１１を用いて具体的に説明する。
【００７８】
図１１に示すように、まず基準クラブを用いて、「グリップしたときの重さ（持ち重さ）」を判定する。これにより基準クラブの１次モーメント（ＭＣＲ）値を判定したこととなる。図１１の例では５段階評価を行なっており、それぞれの判定結果に対し１次モーメント（ＭＣＲ）値が設定されている。この値に基づいてゴルフクラブ選択用ツールに表されたグラフにおける最適な範囲を選択する。
【００７９】
次に、基準クラブを用いてワッグル動作を行ない、「ワッグル重さ」を判定する。これにより基準クラブの慣性モーメント（ＩＧＥ）値を判定したこととなる。この「ワッグル重さ」についても、５段階評価を行なっており、それぞれの判定結果に対し慣性モーメント（ＩＧＥ）値が設定されている。この値に基づいてゴルフクラブ選択用ツールに表されたグラフにおける最適な範囲を選択する。
【００８０】
次に、基準クラブを用いてスイングを行ない、「タイミングのとりやすさ」を判定する。これにより基準クラブの相当単振り子長（ＩＧＥ／ＭＣＲ）を判定したこととなる。この「タイミングのとりやすさ」についても、５段階評価を行なっており、それぞれの判定結果に対し相当単振り子長（ＩＧＥ／ＭＣＲ）の値が設定されている。この値に基づいてゴルフクラブ選択用ツールに表されたグラフにおける最適な範囲を選択する。
【００８１】
以上の評価により、最適な質量分布を有するゴルフクラブの範囲の絞り込みができ、ゴルファーにとっての官能的な要求を満たすゴルフクラブを容易に選択することができる。なお、「グリップしたときの重さ（持ち重さ）」、「ワッグル重さ」および「タイミングのとりやすさ」に関する各判定は、必ずしも上記の順に行なう必要はなく、各判定ステップの順序を入れ替えてもよい。
【００８２】
次に、上記のゴルフクラブの選択方法の他の例について、図６〜図９を用いて説明する。
【００８３】
なお、以下の説明では、ゴルフクラブＤｒ１を基準に最適な質量分布を選択できる手法について説明する。また、Ｄｒ１は、Ｓフレックス使用者の平均的な仕様のゴルフクラブとなっているが、ターゲットに合わせてＲフレックスを基準にしてもよく、さらにヘッドを軽めにしてシニアゴルファーをターゲットにした基準クラブを採用してもよい。
【００８４】
図６に、最適な質量分布を選択するためのチャートを示す。本例において選択可能なゴルフクラブの本数は１１７本である。しかし、ゴルフクラブの本数は任意に設定可能である。
【００８５】
図６に示すように、本例では、各ゴルフクラブについて、慣性モーメント（ＩＧＥ）、１次モーメント（ＭＣＲ）および相当単振り子長（ＩＧＥ／ＭＣＲ）のデータをプロットしたチャートを使用する。各ゴルフクラブのデータは、たとえば新製品の発売と同時にパソコンのデータベース等に入力することで表示させることができる。
【００８６】
まず、基準クラブＤｒ１を使用して「グリップしたときの重さ（持ち重さ）」についてアンケートを行なう。このアンケートで、基準クラブＤｒ１に対し「グリップしたときの重さ（持ち重さ）」が「少し重い」という結果が得られたと仮定する。
【００８７】
この場合、１次モーメント（ＭＣＲ）値が基準クラブＤｒ１の１次モーメント（ＭＣＲ）値よりも所定値以上小さいゴルフクラブ、たとえば１次モーメント（ＭＣＲ）値が基準クラブＤｒ１の１次モーメント（ＭＣＲ）値よりもその３％より多い値だけ小さい（ＭＣＲ×０．９７未満）ゴルフクラブを選択するようにする。その結果、図７に示すように、３２本のゴルフクラブに絞り込むことができる。
【００８８】
次に、再び基準クラブＤｒ１を使用し、「ワッグル重さ」についてアンケートを行なう。このアンケートで、基準クラブＤｒ１に対し「ワッグル重さ」が「重い」という結果が得られたと仮定する。
【００８９】
この場合、慣性モーメント（ＩＧＥ）値が基準クラブＤｒ１の慣性モーメント（ＩＧＥ）値よりも所定値以上小さいゴルフクラブ、たとえば慣性モーメント（ＩＧＥ）値が基準クラブＤｒ１の慣性モーメント（ＩＧＥ）値よりもその２％より多い値だけ小さい（ＩＧＥ×０．９８未満）ゴルフクラブを選択する。その結果、図８に示すように、２０本のゴルフクラブに絞り込むことができる。
【００９０】
次に、再び基準クラブＤｒ１を使用し、「タイミングのとりやすさ」についてアンケートを行なう。このアンケートで、基準クラブＤｒ１に対し「タイミングのとりやすさ」が「ちょうど良い」という結果が得られたと仮定する。
【００９１】
この場合、基準クラブＤｒ１の相当単振り子長（ＩＧＥ／ＭＣＲ）の値の±２％以内のゴルフクラブを選択する。その結果、図９に示すように、３本のゴルフクラブに絞り込むことができる。このように図６等に示すグラフを用いてゴルフクラブの絞り込みを行ない、所望のゴルフクラブを選択することができる。
【００９２】
次に、本発明の実施の形態におけるゴルフクラブの設計方法の一例について図１０を用いて説明する。本実施の形態では、ゴルフクラブの各パーツの質量の決定方法について説明する。
【００９３】
以下に説明するゴルフクラブは技量としては上級者、力量としてはＤｒ８＜Ｄｒ６＜Ｄｒ７の関係となるように開発するものである。
【００９４】
各ゴルフクラブＤｒ６、Ｄｒ７、Ｄｒ８で「グリップしたときの重さ（持ち重さ）」感について差を感じるように１次モーメント（ＭＣＲ）値を３％以上差をつけ、「ワッグル重さ」感についても差を感じるように慣性モーメント（ＩＧＥ）値を１％以上差をつけ、「タイミングのとりやすさ」感を同等に感じるように相当単振り子長（ＩＧＥ／ＭＣＲ）の値の±２％以内の範囲とする。
【００９５】
図１０に、上記のようにゴルファーが感じるようにヘッド質量、シャフト質量およびグリップ質量を設定した例を示す。なお、図１０では、グリップエンドを支点にした場合を示している。また、表７に、ゴルフクラブＤｒ６、Ｄｒ７、Ｄｒ８の各パーツの質量例と特性とを示す。
【００９６】
【表７】
2004181217.tif 000009
【００９７】
図１０および表７に示すゴルフクラブＤｒ６、Ｄｒ７、Ｄｒ８は、ヘッド質量、シャフト質量およびグリップ質量を変えることで、グリップしたときの重さを変え、かつワッグルしたときの重さを変えながら、同じタイミングで振ることができるゴルフクラブの質量設定例である。
【００９８】
上記のように各ゴルフクラブの１次モーメント（ＭＣＲ）値、慣性モーメント（ＩＧＥ）値、相当単振り子長（ＩＧＥ／ＭＣＲ）の値を適切に設定することで、「グリップしたときの重さ（持ち重さ）」、「ワッグル重さ」、「タイミングのとりやすさ」といったゴルファーにとっての官能値を考慮したゴルフクラブの各パーツ質量の決定を行なえる。したがって、ゴルファーにとっての官能的な要求を満たすゴルフクラブの設計を行なえる。
【００９９】
次に、図１４〜図２８を用いて、本発明の他の実施の形態について説明する。以下の実施の形態では、ゴルフクラブセットを選択可能なゴルフクラブ選択支援装置、ゴルフクラブ選択用ツール、ゴルフクラブセットの選択方法およびゴルフクラブセットの設計方法について説明する。
【０１００】
本願発明者等の研究の中で、前述の内容に加えて、ゴルファーの最も求める「ヘッドスピードアップ」と「ボール初速アップ」を達成するにはMcR，ＩＧＥ，Lp(=ＩＧＥ/McR)とMc，Mhのバランスが重要であり、「ゴルファーがゴルフクラブをスイングしてどう感じるか」の感性面からは、McR，ＩＧＥ，Lp(=ＩＧＥ/McR)のバランスが重要であることも判明している。
【０１０１】
ここで、Mhはクラブのヘッド質量、Mcはクラブ総質量、Rはグリップ部の支点からクラブの重心位置までの距離、McRは１次モーメント（典型的にはグリップエンドもしくは右手端面の１７０ｍｍ程度までを支点とした１次モーメント）、ＩＧＥは慣性モーメント（典型的にはグリップエンドもしくは右手端面の１７０ｍｍ程度までを支点とした慣性モーメント）、Lp(=ＩＧＥ/McR)は典型的にはグリップエンドもしくは右手端面の１７０ｍｍ程度までを支点とした相当単振り子長である。
【０１０２】
このように「ヘッドスピードアップ」と「ボール初速アップ」を実現する知見や、「ゴルファーがゴルフクラブをスイングしてどう感じるか」の感性面からの知見が明確になる中で、ウッドやアイアンを含む複数本のゴルフクラブからなるゴルフクラブセットにおいて、ゴルファーの満足度の高い、自分に合ったゴルフクラブセットを選択できることが望まれるが、従来は、数多くのゴルフクラブについて実際に試し打ちをしたり、ゴルフクラブを手に持ったり、グリップエンドを支点にヘッドを回転させる等の手法で選択するしかなく、ゴルフクラブセットの選択に多くの労力を要していた。そのため、自分に合ったゴルフクラブセットを簡易に選択する手法が望まれていた。
【０１０３】
そこで、本実施の形態では、ゴルフクラブに関してゴルファーの最も求める「ヘッドスピードアップ」を達成させるためのMcR，ＩＧＥ，Lp(=ＩＧＥ/McR)等のバランスや、「ゴルファーがゴルフクラブをスイングしてどう感じるか」の感性面からゴルファーの満足度を達成させるためのMcR，ＩＧＥ，Lp(=ＩＧＥ/McR)のバランスを調和させつつ、簡易にゴルファーの満足度の高いゴルフクラブセットを選択できる手法を提案する。
【０１０４】
なお、ゴルファーの満足度の高いゴルフクラブセットとは、ゴルファーによるスイング中において、全てのゴルフクラブについて、インパクトまで同じようにスイングできるゴルフクラブで構成されるゴルフクラブセットであると考えられる。このようなゴルファーの満足度の高いゴルフクラブセットでは、各パラメータMcR，ＩＧＥ，Lp(=ＩＧＥ/McR)に規則性が存在するものである。より詳しくは、たとえばセット中の各ゴルフクラブのMcR，ＩＧＥ，Lpが、所定の１次式や２次式に近似できる等の相関の高い関数性・規則性を有する。
【０１０５】
また、同じようにスイングできるクラブセットでは、ゴルファーが各番手のゴルフクラブをスイングする際のヘッドスピードにも関数性・規則性を有するものと推定できる。ウッドやアイアンを含む複数本のゴルフクラブからなるゴルフクラブセットにおいて、各ゴルフクラブによる「ボールの飛び」にも規則性を持たせるためには、クラブヘッド質量の規則性およびヘッドのロフト角やスコアライン等（厳密には、フェース部のばね定数等も関係するが、ここでは無視する）のバランスも適切なものとする必要がある。
【０１０６】
以下、本実施の形態におけるゴルフクラブ選択支援装置、ゴルフクラブ選択用ツール、ゴルフクラブセットの選択方法およびゴルフクラブセットの設計方法について具体的に説明する。
【０１０７】
本実施の形態におけるゴルフクラブ選択支援装置は、ゴルフクラブセットを選択するものであるが、基本的な構成は図１３に例示したものと同様である。つまり、ゴルフクラブ選択支援装置は、中央処理装置（ＣＰＵ）と、入力装置と、記憶装置と、表示装置とを備える。
【０１０８】
記憶装置は、ゴルフクラブセット中の各ゴルフクラブのグリップエンドあるいはその近傍（好ましくはグリップエンドから１７０ｍｍ程度までの範囲）を支点とした１次モーメント値と、グリップエンドあるいはその近傍（好ましくはグリップエンドから１７０ｍｍ程度までの範囲）の周りの慣性モーメント値と、１次モーメント値に対する慣性モーメント値の比の値である相当単振り子長に関する基本データを格納する。
【０１０９】
記憶装置に格納する基本データとしては、典型的には、縦軸（Ｙ軸）に慣性モーメント（ＩＧＥ）をとり、横軸（Ｘ軸）に１次モーメント（ＭCＲ）をとり、相当単振り子長として（ＩＧＥ／ＭCＲ）の関係式を満たす直線を記載したグラフを挙げることができるが、慣性モーメント（ＩＧＥ）と、１次モーメント（ＭCＲ）と、相当単振り子長（ＩＧＥ／ＭCＲ）との関係を示したものであれば上記のグラフ以外の任意のデータを採用可能である。
【０１１０】
入力装置は、ゴルフクラブセット中の各ゴルフクラブの１次モーメント、慣性モーメントおよび相当単振り子長に関するデータを入力する。中央処理装置は、入力装置によって入力されたデータと、記憶装置に格納された基本データとに基づいて種々の演算を行い、その結果を出力する。たとえば中央処理装置は、基本データと入力データとを比較したり、入力データに基づいて適切な範囲を指定し、該範囲に属するゴルフクラブを抽出したり、入力データの傾向を示す直線や曲線を算出してゴルフクラブセット中のゴルフクラブの規則性を出力したり、入力データと基本データとの関連づけを行って結果を出力する。表示装置は、中央処理装置の出力結果を表示する。
【０１１１】
次に、本実施の形態におけるゴルフクラブセットの選択方法について説明する。
【０１１２】
たとえば、あるゴルファーの気に入っているアイアンクラブセットに合わせたウッドクラブセットを選択する場合、ゴルフクラブセットの選択方法は、アイアンクラブセットの流れを有する、つまりアイアンクラブセットにおける各番手のゴルフクラブの１次モーメント値や慣性モーメント値などの特性値の規則性と同様の規則性を有する複数本のドライバーの中の基準となるゴルフクラブの１次モーメント値を判定するステップと、その基準となるゴルフクラブの慣性モーメント値を判定するステップと、基準となるゴルフクラブの１次モーメント値に対する慣性モーメント値の比の値である相当単振り子長の値を判定するステップとを備える。
【０１１３】
また、別の例としては、あるゴルファーの気に入っているドライバーまたはドライバーを含むウッドクラブセットに合わせたアイアンクラブセットを選択する場合、ゴルフクラブセットの選択方法は、ウッドクラブの流れを有する、つまりウッドクラブセットにおける各番手のゴルフクラブの１次モーメント値や慣性モーメント値などの特性値の規則性と同様の規則性を有する複数セットの中の基準となるアイアンクラブの１次モーメント値を判定するステップと、その基準となるゴルフクラブの慣性モーメント値を判定するステップと、基準となるゴルフクラブの１次モーメント値に対する慣性モーメント値の比の値である相当単振り子長の値を判定するステップとを備える。
【０１１４】
以下、図１４、図１６〜図２５を用いて、上述のゴルフクラブ選択支援装置を用いたゴルフクラブセットの選択方法の一例について説明する。以下の例では、あるゴルファーの気に入っているアイアンクラブセットに合わせたウッドクラブセットを選択する場合について説明する。
【０１１５】
まず、図１４に示すように、アンケートを実施し、現在、顧客が所有し使用中のクラブセット、買換えや購入を考えているお悩みクラブや番手を調査し、そのクラブ・番手をどうしたいかを尋ねる。その後、アイアンクラブセットの流れを有する複数本のドライバーの中の基準となるゴルフクラブ（以下、「基準クラブ」と称する）について、「グリップしたときの重さ（持ち重さ）」、ワッグル動作したときの重さである「ワッグル重さ」、実際にスイングしたときに感じる「タイミングのとりやすさ」についてアンケートをとる。
【０１１６】
別の例としては、あるゴルファーの気に入っているドライバーまたはドライバーを含むウッドクラブセットに合わせたアイアンクラブセットを選択する場合、ウッドクラブの流れを有する複数セットの中の基準となるアイアンクラブもしくはアイアンクラブセットについて、「グリップしたときの重さ（持ち重さ）」、ワッグル動作したときの重さである「ワッグル重さ」、実際にスイングしたときに感じる「タイミングのとりやすさ」についてアンケートをとる。
【０１１７】
また、自分に合ったゴルフクラブセットを新規に購入したり、ゴルフクラブセットの買い替えを行いたい場合には、各種のドライバーの中から自分に合うドライバーを選択し、このドライバーの流れを有するアイアンクラブセットについて「グリップしたときの重さ（持ち重さ）」、ワッグル動作したときの重さである「ワッグル重さ」、実際にスイングしたときに感じる「タイミングのとりやすさ」についてアンケートをとればよく、各種のアイアンクラブセット中から自分に合うアイアンクラブセットを選択し、このアイアンクラブセットの流れを有するドライバーについて「グリップしたときの重さ（持ち重さ）」、ワッグル動作したときの重さである「ワッグル重さ」、実際にスイングしたときに感じる「タイミングのとりやすさ」についてアンケートをとればよい。
【０１１８】
なお、現在、顧客が所有し使用中のクラブセット中の各ゴルフクラブについて各パラメータを計測して入力すると、各ゴルフクラブの１次モーメント値などの特性値の傾向やばらつきを把握することができ、お悩みクラブや番手の原因が判定できる可能性もある。
【０１１９】
図１６に、ゴルフクラブ選択支援装置の初期画面の一例を示す。図１６に示すように、初期画面では、基準クラブとなりうるドライバーおよびアイアンセットの１次モーメント（ＭCＲ）と、慣性モーメント（ＩＧＥ）と、相当単振り子長（ＩＧＥ／ＭCＲ）とが表示されている。ここでは、ドライバー１４本とアイアン４セットを表示しているが、表示していないクラブも基準クラブとなり得る。
【０１２０】
前述のように「グリップしたときの重さ（持ち重さ）」と「１次モーメント（典型的にはグリップエンドもしくは右手端面の１７０ｍｍ程度までを支点とした１次モーメント）」、「ワッグル重さ」と「慣性モーメント（典型的にはグリップエンドもしくは右手端面の１７０ｍｍ程度までを支点とした慣性モーメント）」、「タイミングのとりやすさ」と「相当単振り子長」とが相関関係にあることから、「グリップしたときの重さ（持ち重さ）」についてのアンケート結果を「１次モーメント」に関するデータとして、「ワッグル重さ」についてのアンケート結果を「慣性モーメント」に関するデータとして、「タイミングのとりやすさ」についてのアンケート結果を「相当単振り子長」に関するデータとして、入力装置を介してゴルフクラブ選択支援装置に入力する。
【０１２１】
データ入力後の画面の一例を図１７に示す。図１７におけるセットＯが、入力されたアイアンクラブセットのデータである。なお、データ入力の際には、あるゴルファーの気に入っているアイアンクラブセットのデータを入力することが好ましい。気に入っているアイアンクラブは、現在使用中の自分のクラブでもよいし、試打して気に入ったアイアンクラブでもよい。実際に計測したデータを入力するとなお良い。
【０１２２】
上記のようにして入力されたデータと、記憶装置に予め格納された基本データとに基づいて中央処理装置によって各種処理を行い、入力データによる基本データにおける範囲の絞り込みや、必要なデータの選択等を行なう。具体的には、図１８に示すように、セットＯのデータについての公差範囲を算出して表示し、この公差範囲内に属するドライバーから基準クラブを選択する。それにより、あるゴルファーの気に入っているアイアンクラブセットの流れに合ったドライバーを複数本選択し、さらにその中のいずれか１本のドライバーを基準クラブとして選択することができる。そして、基準クラブを用いて、「グリップしたときの重さ（持ち重さ）」、「ワッグル重さ」および「タイミングのとりやすさ」に関する各判定と試打を実施する。
【０１２３】
なお、“アイアンクラブの流れに沿ったドライバー”とは、「グリップしたときの重さ（持ち重さ）」である１次モーメント（ＭCＲ）のセット内の公差が±０．００４ｋｇ・ｍの範囲内であり、「ワッグル重さ」である慣性モーメント（ＩＧＥ）のセット内の公差が±０．００１ｋｇ・ｍ２の範囲内のドライバーをいう。
【０１２４】
上記の基準クラブから得られたデータをもとにして、図１９に示すように、あるゴルファーの気に入ったドライバーが選択されることとなる。そして、選択されたドライバーを含むウッドクラブセットであって、アイアンクラブセットの流れに沿ったセットが、図２０に示されるように適切クラブセットとして画面に表示される。なお、図２０の例では、アイアンクラブセットにおける各アイアンゴルフクラブのデータを結ぶ直線を延長した直線上にあるウッドクラブセットが、アイアンクラブセットの流れに沿ったウッドクラブセットとして選択されている。
【０１２５】
上記のドライバーをはじめとするウッドクラブセットを実際にゴルファーに試打してもらい、適切かどうか確認してもらう。なお、表示手法としては、上記のような画面での表示のみならず音声による表示も考えられる。この表示結果を参考にしてゴルファーの官能値を考慮した最適なゴルフクラブセットの選択を行なえる。
【０１２６】
さらに、「もっと振り易いクラブセットも試したい」という要望があった場合には、たとえば図２１に示すように「お試しクラブ」を提案し、該ゴルフクラブについて実際にゴルファーに試打してもらい、適切かどうか確認してもらう。そして、ゴルファーが振り易いと判断した場合には、図２２に示すように「お試しクラブ」を含むゴルフクラブセット（「お試しクラブセット１」）を提案することもできる。
【０１２７】
図２３に、支点を１７０ｍｍとした時に図２２に示す「適切クラブセット」のデータがどのようになるかを示す。この結果より、支点をグリップエンドとした時（図２２の場合）と、グリップエンドから１７０ｍｍとした時（図２３の場合）には大差ないことが分かり、「支点の位置」は、グリップエンドから右手端までの距離が１７０ｍｍ程度までの範囲なら、どの位置でも適切なデータが得られることが分かる。
【０１２８】
また、グラフの縦軸と横軸のパラメータを変更した場合、たとえば縦軸に相当単振り子長、横軸に一次モーメントをとった場合や、縦軸に相当単振り子長、横軸に慣性モーメントをとった場合に、図２３等に示す「適切クラブセット」がどのように表示されるかを図２４と図２５に示す。これらの図から、グラフの縦軸と横軸のパラメータを変更した場合でも同様の結果が得られることがわかり、図２３等に示す「適切クラブセット」が概ね妥当であることが分かる。
【０１２９】
表８に、各アイアンクラブセット（セットO，Ｘ，Ｙ，Ｚ）およびウッドクラブセットの長さ、各質量、一次モーメント、慣性モーメント、相当単振り子長を示す。但し、シャフト重心率は、シャフト全長に対する、シャフトのグリップエンド側から重心位置までの距離の割合を、％表示したものである。
【０１３０】
【表８】
2004181217.tif 000010
【０１３１】
なお、本願発明者等は、「グリップしたときの重さ（持ち重さ）」と「１次モーメント（典型的にはグリップエンドもしくは右手端面の１７０ｍｍ程度までを支点とした１次モーメント）」、「ワッグル重さ」と「慣性モーメント（典型的にはグリップエンドもしくは右手端面の１７０ｍｍ程度までを支点とした慣性モーメント）」、「タイミングのとりやすさ」と「相当単振り子長」の公差に関して以下のように認識している。
【０１３２】
「グリップしたときの重さ（持ち重さ）」を判別できるかどうかの閾値は約３％（概ね０．００８ｋｇ・ｍ）であることから、セット内では、±０．００４ｋｇ・ｍの範囲内を好ましい範囲とする。また、「ワッグル重さ」を判別できるかどうかの閾値は約１％（概ね０．００２ｋｇ・ｍ２）であることから、セット内では、±０．００１ｋｇ・ｍ２の範囲内を好ましい範囲とする。また、「タイミングのとりやすさ」を判別できるかどうかの閾値は約２％（概ね０．０２ｍ）であることから、セット内では、±０．０１ｍの範囲内を好ましい範囲とする。
【０１３３】
次に、図１５を用いて、本実施の形態におけるゴルフクラブ選択用ツールについて説明する。
【０１３４】
本実施の形態のゴルフクラブ選択用ツールは、１次モーメント（ＭCＲ）と、慣性モーメント（ＩＧＥ）と、１次モーメント（ＭCＲ）に対する慣性モーメント（ＩＧＥ）の比の値である相当単振り子長（ＩＧＥ／ＭCＲ）とを併記したグラフ部分を備えたものである。
【０１３５】
具体的には、たとえば厚紙の表面に、１次モーメント（ＭCＲ）と、慣性モーメント（ＩＧＥ）と、相当単振り子長（ＩＧＥ／ＭCＲ）とを併記した図１５に示すグラフを貼り付けあるいは印刷したものや、金属製、プラスチック製、ゴム製等の紙以外の材質からなるベース部材の表面に当該グラフを貼り付けあるいは印刷したものを本実施の形態におけるゴルフクラブ選択用ツールとして採用可能である。
【０１３６】
かかるゴルフクラブ選択用ツールを用いることにより、「グリップしたときの重さ（持ち重さ）」、「ワッグル重さ」および「タイミングのとりやすさ」に関するアンケート結果に基づいて、１次モーメント、慣性モーメント、相当単振り子長とをともに表したグラフを用いて該当するゴルフクラブセットを選択することができる。それにより、ゴルファーにとっての官能的な要求を満たすゴルフクラブセットを容易に選択することができる。
【０１３７】
次に、上記のゴルフクラブ選択用ツールを用いたゴルフクラブセットの選択方法の一例について説明する。
【０１３８】
ます、アンケートに基づき、基準クラブを用いて、「グリップしたときの重さ（持ち重さ）」を判定する。これにより基準クラブの１次モーメント（ＭCＲ）値を判定したこととなる。たとえば５段階評価を行なって、それぞれの判定結果に対し１次モーメント（ＭCＲ）値を得る。この値に基づいてゴルフクラブ選択用ツールに表されたグラフにおける最適な範囲を選択する。
【０１３９】
次に、基準クラブを用いてワッグル動作を行ない、「ワッグル重さ」を判定する。これにより基準クラブの慣性モーメント（ＩＧＥ）値を判定したこととなる。この「ワッグル重さ」についても５段階評価を行ない、それぞれの判定結果に対し慣性モーメント（ＩＧＥ）値を得る。この値に基づいてゴルフクラブ選択用ツールに表されたグラフにおける最適な範囲を選択する。
【０１４０】
次に、基準クラブを用いてスイングを行ない、「タイミングのとりやすさ」を判定する。これにより基準クラブの相当単振り子長（ＩＧＥ／ＭCＲ）を判定したこととなる。この「タイミングのとりやすさ」についても５段階評価を行ない、それぞれの判定結果に対し相当単振り子長（ＩＧＥ／ＭCＲ）の値を得る。この値に基づいてゴルフクラブ選択用ツールに表されたグラフにおける最適な範囲を選択する。
【０１４１】
以上の評価により、最適な質量分布を有するゴルフクラブセットの範囲の絞り込みができ、ゴルファーにとっての官能的な要求を満たすゴルフクラブセットを容易に選択することができる。なお、「グリップしたときの重さ（持ち重さ）」、「ワッグル重さ」および「タイミングのとりやすさ」に関する各判定は、必ずしも上記の順に行なう必要はなく、各判定ステップの順序を入れ替えてもよい。
【０１４２】
次に、本実施の形態におけるゴルフクラブセットの設計方法の一例について図２６〜図２８を用いて説明する。本実施の形態では、ゴルフクラブの各パーツの質量の決定方法について説明する。
【０１４３】
図２６に、グリップ質量を約５０ｇ、シャフトの重心率（シャフト全長に対する、シャフトのグリップエンド側から重心位置までの距離の割合）を４６〜５０％、クラブのスイングバランス（１４インチバランス）をＤ０近辺とし、ドライバーを４５インチ、アイアンセットを慣例の長さにセッティングした時の、「一次モーメント」と「慣性モーメント」の関係における、シャフト質量の傾向を示す。参考までに、グリップ質量を約４０ｇにした時のものも示した。これにより、各セット（ウッドクラブセットとアイアンクラブセットの繋がり）におけるシャフト質量の選択が可能となり、さらに「一次モーメント」と「慣性モーメント」が小さくなるようなクラブセットも、グリップ質量を小さくすればいいことも分かり、クラブの選択の幅も広がる。
【０１４４】
一般に、「一次モーメント」と「慣性モーメント」が大きいクラブセットは、ゴルフの技量としては上級者で、力量も高いゴルファーをターゲットに開発しているもので、逆に、「一次モーメント」と「慣性モーメント」が小さいクラブセットは、ゴルフの技量は問わないが、スイングし易いクラブであり力量もそれほど高くないゴルファーをターゲットに開発しているものである。特に、「一次モーメント」と「慣性モーメント」がより小さいクラブセットは、シニアや女性をターゲットに開発しているものである。
【０１４５】
次に、「一次モーメント」と「慣性モーメント」の関係の傾きの緩急が何に依存しているのかについて記載する。
【０１４６】
図２７および表９に示すクラブセットＯに対して、セットＡ，Ｂ，Ｃのアイアンクラブを準備して、試打を実施した。図２７および表９に示すように、いずれのセットも、番手が大きくなるほど重めのクラブになっている。セットＡはセットＯに対して公差範囲内のアイアンセットであり、セットＢは番手の大きいクラブ（９番アイアン：９Ｉやピッチングウェッジ：ＰＷ）のみセットＯの公差範囲を大きく逸脱したアイアンセット、セットＣはセットＢ以上にセットＯの公差範囲を逸脱したセッティング（６番アイアン：６Ｉ〜ピッチングウェッジ：ＰＷが全て公差範囲を逸脱している）になっている。
【０１４７】
【表９】
2004181217.tif 000011
【０１４８】
４名のプロゴルファーを含む上級・熟練ゴルファー計１３名の、セットＡ，Ｂ，Ｃの試打の結果、以下のようになった。
【０１４９】
セットＡの評価：シャフトの質量差を感じず、スイングし易い（１３名）。
【０１５０】
セットＢの評価：違和感がなくスイングし易い（１１名）。少なからず、重さの差・違和感を感じる（１名）。大きい番手から小さい番手に変えた時、極端に引っ掛ける（１名）。
【０１５１】
セットＣの評価：大きい番手は全体に重みを感じ、ゆったりスイングできる（１名）。大きい番手は重く、スイングし難い。大きい番手ほど、簡単にヘッドが返り、引っ掛ける（１２名）。
【０１５２】
この結果より、「一次モーメント」と「慣性モーメント」の関係を表すグラフでの傾きの緩急について、緩やかな傾き（傾きの絶対値が小さい）ほど、「番手の大きいクラブがクラブの重みでゆったりスイングでき、番手の小さいクラブは軽くスイングし易いクラブセット」であるという特徴を有していることが分かった。また、急な傾き（傾きの絶対値の大きい）ほど、「番手の小さいクラブがクラブの重みでゆったりスイングでき、番手の大きいクラブは軽くスイングし易いクラブセット」であるという特徴を有していることが分かった。
【０１５３】
本発明者等は、他の複数のクラブセットも調査した結果および試打の結果より、「全番手、同じようにスイングできるクラブセット」は、「一次モーメント」と「慣性モーメント」の関係を表すグラフでの傾きが、アイアンクラブセットでは−０．７５〜−０．４０（ｋｇｍ２／ｋｇｍ）であり、ウッドクラブセットでは−１．００〜−０．６５（ｋｇｍ２／ｋｇｍ）であるという所見を得た。
【０１５４】
また、試打の結果より、セット内の隣り合う番手間で、一次モーメント（McR）の公差である±０．００４ｋｇ・ｍ、および慣性モーメント（ＩＧＥ）の公差である±０．００１ｋｇ・ｍ２を逸脱するクラブが存在すると、違和感を生じ易いことも分かった。
【０１５５】
故に、セット内の番手で、違和感なくクラブの重みでゆったりスイングできるクラブを入れたり、あるいは、軽くスイングし易いクラブを入れたりするクラブセットにする際は、隣り合う番手間を公差内にし、かつ「一次モーメント」と「慣性モーメント」の関係の傾きを徐々に変化させる必要がある。
【０１５６】
図２８に、セット内の番手の大きいクラブほど、違和感なくクラブの重みでゆったりスイングできるクラブセットの例を「お試しクラブセット２」とし、また、セット内の番手の大きいクラブほど、違和感なく軽くスイングし易いクラブセットの例を「お試しクラブセット３」として表した。
【０１５７】
あるゴルファーにとって、より適切で官能的な要求を満たすゴルフクラブセットの設計は、上記の所見と官能的な要求を満たすように各ゴルフクラブの１次モーメント（ＭCＲ）値、慣性モーメント（ＩＧＥ）値、相当単振り子長（ＩＧＥ／ＭCＲ）の値を適切に設定することで行え、その結果「グリップしたときの重さ（持ち重さ）」、「ワッグル重さ」、「タイミングのとりやすさ」といったゴルファーにとっての官能値を考慮したゴルフクラブの各パーツ質量の決定を容易に行なえる。
【０１５８】
以上のように本発明の実施の形態について説明を行なったが、今回開示した実施の形態は全ての点で例示であって制限的なものではないと考えられるべきである。本発明の範囲は特許請求の範囲によって示され、特許請求の範囲と均等の意味および範囲内での全ての変更が含まれる。
【産業上の利用可能性】
【０１５９】
本発明は、ゴルフクラブ選択支援装置、ゴルフクラブ選択用ツール、ゴルフクラブの選択方法およびゴルフクラブの設計方法に適用される。
【図面の簡単な説明】
【０１６０】
【図１】本発明の１つの実施の形態における１次モーメント（ＭＣＲ）、慣性モーメント（ＩＧＥ）および相当単振り子長（ＩＧＥ／ＭＣＲ）の関係を示すグラフ（チャート）である。
【図２】ゴルフクラブにおけるシャフトの曲げ剛性分布例を示す図である。
【図３】グリップエンドから１３５ｍｍの位置を支点にした場合の１次モーメント（ＭＣＲ）、慣性モーメント（ＩＧＥ）および相当単振り子長（ＩＧＥ／ＭＣＲ）の関係を示すグラフ（チャート）である。
【図４】カーボンシャフトの線密度分布を示す図である。
【図５】グリップエンドから２００ｍｍの位置を支点にした場合の１次モーメント（ＭＣＲ）、慣性モーメント（ＩＧＥ）および相当単振り子長（ＩＧＥ／ＭＣＲ）の関係を示すグラフ（チャート）である。
【図６】本発明の他の実施の形態における１次モーメント（ＭＣＲ）、慣性モーメント（ＩＧＥ）および相当単振り子長（ＩＧＥ／ＭＣＲ）の関係を示すグラフ（チャート）である。
【図７】図６のグラフにおいて「グリップしたときの重さ（持ち重さ）」のアンケート結果に基づいて絞り込みを行なった後の状態を示す図である。
【図８】図６のグラフにおいて「グリップしたときの重さ（持ち重さ）」および「ワッグル重さ」のアンケート結果に基づいて絞り込みを行なった後の状態を示す図である。
【図９】図６のグラフにおいて「グリップしたときの重さ（持ち重さ）」、「ワッグル重さ」および「タイミングのとりやすさ」のアンケート結果に基づいて絞り込みを行なった後の状態を示す図である。
【図１０】本発明のさらに他の実施の形態における１次モーメント（ＭＣＲ）、慣性モーメント（ＩＧＥ）および相当単振り子長（ＩＧＥ／ＭＣＲ）の関係を示すグラフ（チャート）である。
【図１１】本発明の実施の形態におけるゴルフクラブの選択方法を示す図である。
【図１２】本発明の実施の形態におけるゴルフクラブ選択支援装置を用いたゴルフクラブの選択方法の一例を説明するための図である。
【図１３】本発明の実施の形態におけるゴルフクラブ選択支援装置の概略構成を示すブロック図である。
【図１４】本発明の他の実施の形態におけるゴルフクラブの選択方法を示す図である。
【図１５】本発明の他の実施の形態における１次モーメント（ＭＣＲ）、慣性モーメント（ＩＧＥ）および相当単振り子長（ＩＧＥ／ＭＣＲ）の関係を示すグラフ（チャート）である。
【図１６】本発明の他の実施の形態におけるゴルフクラブ選択支援装置の初期画面の一例を示す図である。
【図１７】図１６に示すグラフにアイアンクラブセットのデータを表示した状態を示す図である。
【図１８】図１７に示すグラフに公差範囲とともに該公差範囲内に属するウッドクラブを表示した状態を示す図である。
【図１９】図１８に示すグラフにおいて、選択クラブと、該選択クラブとアイアンクラブセットとを結ぶラインとを表示した状態を示す図である。
【図２０】図１９に示すグラフにおいて適切クラブセットを表示した状態を示す図である。
【図２１】お試しクラブの提案例を示す図である。
【図２２】お試しクラブセットの提案例を示す図である。
【図２３】支点位置をグリップエンドから１７０ｍｍとした場合の図２２に対応するデータを示す図である。
【図２４】縦軸に相当単振り子長、横軸に一次モーメントをとった場合に、図２２に示す「適切クラブセット」がどのように表示されるかを示す図である。
【図２５】縦軸に相当単振り子長、横軸に慣性モーメントをとった場合に、図２２に示す「適切クラブセット」がどのように表示されるかを示す図である。
【図２６】グリップ質量を約５０ｇ、シャフトの重心率を４６〜５０％、クラブのスイングバランス（１４インチバランス）をＤ０近辺とし、ドライバーを４５インチ、アイアンセットを慣例の長さにセッティングした時の、一次モーメントと慣性モーメントの関係におけるシャフト質量の傾向を示す図である。
【図２７】各種のゴルフクラブセットにおけるゴルフクラブの１次モーメント（ＭＣＲ）、慣性モーメント（ＩＧＥ）および相当単振り子長（ＩＧＥ／ＭＣＲ）の関係を示すグラフである。
【図２８】適切クラブセットとお試しクラブセットにおけるゴルフクラブの１次モーメント（ＭＣＲ）、慣性モーメント（ＩＧＥ）および相当単振り子長（ＩＧＥ／ＭＣＲ）の関係を示すグラフである。
【符号の説明】
【０１６１】
１  ゴルフクラブ選択支援装置、２  中央処理装置（ＣＰＵ）、３  入力装置、４  記憶装置、５  表示装置。
【図１】
2004181217.tif 000012
【図２】
2004181217.tif 000013
【図３】
2004181217.tif 000014
【図４】
2004181217.tif 000015
【図５】
2004181217.tif 000016
【図６】
2004181217.tif 000017
【図７】
2004181217.tif 000018
【図８】
2004181217.tif 000019
【図９】
2004181217.tif 000020
【図１０】
2004181217.tif 000021
【図１１】
2004181217.tif 000022
【図１２】
2004181217.tif 000023
【図１３】
2004181217.tif 000024
【図１４】
2004181217.tif 000025
【図１５】
2004181217.tif 000026
【図１６】
2004181217.tif 000027
【図１７】
2004181217.tif 000028
【図１８】
2004181217.tif 000029
【図１９】
2004181217.tif 000030
【図２０】
2004181217.tif 000031
【図２１】
2004181217.tif 000032
【図２２】
2004181217.tif 000033
【図２３】
2004181217.tif 000034
【図２４】
2004181217.tif 000035
【図２５】
2004181217.tif 000036
【図２６】
2004181217.tif 000037
【図２７】
2004181217.tif 000038
【図２８】
2004181217.tif 000039